(57)【要約】【課題】本発明は、旗竿に対しての巻き付き及び捲れ上がりを防止すると共に、はためきを防止して、見栄えを良好なものとしたのぼり旗を提供することを目的とするものである。【解決手段】本発明に係るのぼり旗は、矩形縦長形状の下部を隅部から斜め上に切除した形状であって、矩形部１とその下部の三角部２とからなり、左右辺のうちの長い方の辺３及び上辺５を竿取付側とし、三角部２を矩形部１のシート材１ａよりコシがあり、かつ、重量のあるシート材２ａにて形成したものである。【選択図】  図１
2009063872.tif 000002
【特許請求の範囲】
【請求項１】
矩形縦長形状の下部を隅部から斜め上に切除した形状であって、矩形部とその下部の三角部とからなり、左右辺のうちの長い方の辺及び上辺を竿取付側とし、三角部のシート材を矩形部のシート材よりコシがあり、かつ、重量のあるシート材にて形成したことを特徴とするのぼり旗。
【請求項２】
矩形部のシート材のコシの強さと三角部のシート材のコシの強さとの比が１対１．５〜３であり、矩形部のシート材の単位面積当たりの重量と三角部のシート材の単位面積当たりの重量との比が１対５〜１５であることを特徴とする請求項１に記載ののぼり旗。
【発明の詳細な説明】
【技術分野】
【０００１】
本発明は、旗竿に取着するのぼり旗に関し、特に、旗竿に対しての巻き付き及び捲れ上がりを防止すると共に、はためきを防止して、見栄えを良好なものとしたのぼり旗に関する。
【背景技術】
【０００２】
従来から、公知文献１〜４に示されるように、のぼり旗の巻き付き及びまくれ上がりを防止したのぼり旗が提案されている。
【０００３】
公知文献１に示されるものは、細長い布の下部横方向に袋を設け、その袋内に棒状材を挿入したものである。
【０００４】
公知文献２に示されるものは、のぼり旗の隅部（旗竿側の下部）に、袋詰めの砂を重りとして取り付けたものである。
【０００５】
公知文献３に示されるものは、のぼり旗の一部の竿通しチチに近い部分に袋部を設け、その袋部に棒、板、又は重りを入れたものである。
【０００６】
公知文献４に示されるものは、のぼり旗の最下段乳布と２段目乳布との間に棒を装着して最下段乳布と２段目乳布との間を一定に保つようにしたものである。
【特許文献１】特開平８−１６１１９号公報
【特許文献２】特開平９−２９２８４９号公報
【特許文献３】特開２００５−２９２７４８号公報
【特許文献４】特開２００６−５８８２９号公報
【発明の開示】
【発明が解決しようとする課題】
【０００７】
上記公知文献１に示されるものは、棒状材が重りとなると共にのぼり旗下部の折れ曲がりを防止する役目を果たすためには、棒状材にある程度の重量と剛性が必要となる。そうするとのぼり旗が風などにより回転すると、その回転に合わせて棒状材が回転するので、非常に危険な状態となるおそれがある。その危険を回避するために棒状材を軽量でクッション性がある材質のもので形成すると、重りの役目を果たさない上に、折れ曲がり防止の役目も半減する欠点があり、結局、問題を解決するには至らない提案である。
【０００８】
上記公知文献２に示されるものは、のぼり旗の隅部（旗竿側の下部）に、袋詰めの砂を重りとして取り付けただけであるため、のぼり旗下端の自由端側は風にたなびく状態にあるので、のぼり旗が旗竿に巻き付いたり、はためいたりする欠点があり、問題を解消するには至らない提案である。
【０００９】
上記公知文献３に示されるものは、のぼり旗の一部の竿通しチチに近い部分に袋部を設け、その袋部に棒、板、又は重りを入れただけのものであるため、公知文献２のものと同様に、のぼり旗下端の自由端側は風にたなびく状態にあるので、のぼり旗が旗竿に巻き付いたり、はためいたりする欠点がある。
【００１０】
上記公知文献４に示されるものは、のぼり旗の最下段乳布と２段目乳布との間に棒を装着して最下段乳布と２段目乳布との間を一定に保つようにしただけのものであるため、公知文献２のものと同様に、のぼり旗下端の自由端側は風にたなびく状態にあるので、のぼり旗が旗竿に巻き付いたり、はためいたりする欠点がある。しかも、棒と共に最下段乳布と２段目乳布とが上方に移動すると結局のぼり旗が捲り上がってしまうことになる。
【００１１】
そこで、本発明は、上述の問題を改善し、旗竿に対しての巻き付き及び捲れ上がりを防止すると共に、はためきを防止して、見栄えを良好なものとしたのぼり旗を提供することを目的とするものである。
【課題を解決するための手段】
【００１２】
本発明に係るのぼり旗は、矩形縦長形状の下部を隅部から斜め上に切除した形状であって、矩形部とその下部の三角部とからなり、左右辺のうちの長い方の辺及び上辺を竿取付側とし、三角部のシート材を矩形部のシート材よりコシがあり、かつ、重量のあるシート材にて形成したことを特徴とするものである。
【００１３】
なお、上記の構成において、矩形部のシート材のコシの強さと三角部のシート材のコシの強さとの比が１対１．５〜３であり、矩形部のシート材の単位面積当たりの重量と三角部のシート材の単位面積当たりの重量との比が１対５〜１５であるように設計することが望ましい。矩形部を構成するシート材のコシの強さと三角部を構成するシート材のコシの強さの比が１対１．５未満であり、矩形部を構成するシート材の単位面積当たりの重量と三角部を構成するシート材の単位面積当たりの重量の比が１対５未満の場合には、本発明の効果を達成することができないおそれが生ずる。
【００１４】
このように構成したことにより、三角部のシート材にコシがあり、かつ、重量があるため、のぼり旗全体に対して下方向きの荷重が掛かる。また、三角部のシート材にコシがあるため、のぼり旗下部がはためかない。さらに、のぼり旗下端の自由端が鈍角であるため、のぼり旗におけるはためく部分の面積が減少するので、のぼり旗全体のはためきが押さえられ、のぼり旗の回転が抑止される。
【発明の効果】
【００１５】
したがって、本発明に係るのぼり旗は、のぼり旗下部の三角部のシート材により、旗竿に対しての巻き付き及び捲れ上がりが防止できると共に、はためきを防止し、見栄えが良好なものとなり、高級感のある広告効果を果たすと共に設置周辺の景観を向上させるものである。また、たとえ、のぼり旗下部のシート材がコシがあり、重量があるとしても、シート材であるため、衝突による衝撃力が弱いので、人が接触しても人に傷をつけるようなことがなく、安全性が極めて高いものである。
【発明を実施するための最良の形態】
【００１６】
以下、本発明に係るのぼり旗について、図面に基づき詳細に説明する。
【実施例】
【００１７】
図１は本実施例に係るのぼり旗の正面図であり、図２は前記のぼり旗を旗竿に取り付けた状態を示す正面図である。
【００１８】
各図において、Ａはのぼり旗を示し、矩形縦長形状の下部を隅部から斜め上に切除した形状よりなる。したがって、のぼり旗Ａは、矩形部１とその下部の三角部２とから構成される。そして、左右辺のうちの長い方の辺、すなわち図に向かって左側の辺３は旗竿Ｂを取り付ける側であり、旗竿Ｂの垂直軸Ｂ１を挿通するためのループ布４が適当間隔をおいて複数（本実施例においては５箇所）設けられている。また、のぼり旗Ａの上辺部５は筒状になっていて、旗竿Ｂの水平軸Ｂ２を上辺部５に挿通してのぼり旗Ａを吊り下げることができるようになっている。なお、のぼり旗Ａの左側の辺３に設けたループ布４と同様なものをのぼり旗の上辺部に設けてもよい。また、のぼり旗Ａの上辺部５を筒状に形成したように、のぼり旗Ａの左側の辺も筒状にに形成してもよい。筒状に形成した場合には、のぼり旗が旗竿の垂直軸に沿ってたくし上がったり、水平軸に沿って偏ったりするのを防ぐことができる。
【００１９】
上記のぼり旗Ａの矩形部１は、広告面であって、そのシート材１ａとしてはポリエステル繊維製の織物地で構成されている。矩形部１の材質及び構成はこれに限られるものではないが、のぼり旗が屋外に掲出される関係上、耐水性及び耐光性に優れ、かつ、広告が印刷し易いように染色性に優れるものが有用である。しかも、耐熱性、耐火性があれば申し分がない。なお、本実施例においてポリエステル繊維を使用した別の理由としては、ペットボトルのリサイクル繊維を使用することにより、自然環境の維持及び限られた資源の活用に貢献することにある。
【００２０】
上記のぼり旗Ａの下部に形成された三角部２は、上記の矩形部１のシート材１ａよりもコシがあり、かつ、重量のあるシート材２ａにて形成されている。三角部２を構成するシート材２ａとしては、ポリ塩化ビニルシートやオレフィン系のビニルシートを使用することができる。なお、三角部２の形成方法としては、本実施例においては、矩形部１を形成するシート材１ａにて三角部２の領域まで形成し、その三角部２の領域にコシがあり、かつ、重量のあるシート材２ａを重ね合わせて縫着している（図中の破線は縫着線である）。なお、接着方法としては、接着剤により接着してもよい。また、三角部２を構成するコシがあり、かつ、重量のあるシート材２ａを矩形部１に連続するように縫着あるいは接着剤により接着してもよい。
【００２１】
なお、矩形部１を構成するシート材１ａのコシの強さと三角部２を構成するシート材２ａのコシの強さの比は、１対１．５〜３が望ましく、１対１．８〜２．２がさらに望ましい。また、矩形部１を構成するシート材１ａの単位面積当たりの重量と三角部２を構成するシート材２ａの単位面積当たりの重量の比は、１対５〜１５が望ましく、１対８〜１２がさらに望ましい。矩形部１を構成するシート材１ａのコシの強さと三角部２を構成するシート材２ａのコシの強さの比が１対１．５未満であり、矩形部１を構成するシート材１ａの単位面積当たりの重量と三角部２を構成するシート材２ａの単位面積当たりの重量の比が１対５未満の場合には、本発明の効果を達成することができないおそれが生ずる。
【００２２】
以上のように本実施例に係るのぼり旗Ａを構成したので、三角部２のシート材２ａにコシがあり、かつ、重量があるため、のぼり旗全体に対して下方向きの荷重が掛かる。また、三角部２のシート材２ａにコシがあるため、のぼり旗下部がはためかない。さらに、のぼり旗下端の自由端の角度θが鈍角であるため、のぼり旗においてはためく部分の面積が減少するので、のぼり旗全体のはためきが押さえられ、のぼり旗の回転が抑止される。なお、本実施例においてはは、三角部２を構成するシート材２ａを矩形部１に一部はみ出すように延設することにより、上記の作用を増大させている。
【００２３】
したがって、本実施例に係るのぼり旗Ａは、のぼり旗下部の三角部２のシート材２ａにより、旗竿Ｂに対しての巻き付き及び捲れ上がりが防止できると共に、はためきを防止し、見栄えが良好なものとなり、高級感のある広告効果を果たすと共に設置周辺の景観を向上させる効果がある。また、たとえ、のぼり旗下部のシート材２ａがコシがあり、重量があるとしても、上記した範囲におけるシート材２ａであれば、衝突による衝撃力が弱いので、人が接触しても人に傷をつけるようなことがなく、安全性が極めて高いものである。
【図面の簡単な説明】
【００２４】
【図１】本発明の実施例に係るのぼり旗の正面図である。
【図２】本発明の実施例に係るのぼり旗を旗竿に取り付けた状態を示す正面図である。
【符号の説明】
【００２５】
Ａ・・・のぼり旗
１・・・矩形部
１ａ・・矩形部を構成するシート材
２・・・三角部
２ａ・・三角部を構成するシート材
３・・・のぼり旗の左側の辺（旗竿側の辺）
４・・・ループ布
５・・・のぼり旗の上辺
θ・・・のぼり旗下部の自由端の角度
Ｂ・・・旗竿
Ｂ１・・旗竿の垂直軸
Ｂ２・・旗竿の水平軸
【図１】
2009063872.tif 000003
【図２】
2009063872.tif 000004